(57)【要約】【課題】  角度調節機構を別途設けることなく、建物壁の壁面に対する照明器具の取付け角度を選択可能にすることである。【解決手段】  台座体Ａと取着体Ｂとから成る照明器具取付け用絶縁台座Ｋであって、前記台座体Ａの当接面１２と反対の面、及び前記取着体Ｂの取着面３３ａと反対の面に、軸心Ｃ1 ，Ｃ2 に対して傾斜した傾斜分割面１で円筒体が二分割された各分割組付け体Ｄ1 ，Ｄ2 がそれぞれ一体に形成され、前記各分割組付け体Ｄ1 ，Ｄ2 は、傾斜分割面１に対して垂直な回動軸心Ｃ0 を中心にして相対的回動が可能なように一体に連結されて、前記各分割組付け体Ｄ1 ，Ｄ2 のいずれか一方の回動軸心Ｃ0 を中心とする前記台座体Ａ及び取着体Ｂの相対的回動により、前記各分割組付け体Ｄ1 ，Ｄ2 の軸心の交差角を変更させることにより、台座体Ａの当接面１２に対する取着体Ｂの取着面３３ａの傾斜角度を調整可能とする。【選択図】  図１３
2008027590.tif 000002
【特許請求の範囲】
【請求項１】
背面の当接面を建物壁に当接させて、前記建物壁に固定される台座部と、前面の取着面に照明器具が取着される取着部とを備え、前記当接面と取着面とを貫通するケーブル挿通孔にケーブルを挿通して照明器具を絶縁状態で取付ける照明器具取付け用絶縁台座であって、
前記当接面と前記取着面とが相対的に異なる角度で傾斜した第１及び第２の各傾斜位置のいずれかを選択して、前記台座部と前記取着部とを組み付ける組付け部を備えていることを特徴とする照明器具取付け用絶縁台座。
【請求項２】
背面の当接面を建物壁に当接させて、前記建物壁に固定される台座部と、前面の取着面に照明器具が取着される取着部とを備え、前記当接面と取着面とを貫通するケーブル挿通孔にケーブルを挿通して照明器具を絶縁状態で取付ける照明器具取付け用絶縁台座であって、
前記当接面と前記取着面とが相対的に傾斜した状態と、両面が互いに平行な状態とを選択して、前記台座部と前記取着部を互いに組み付けるための組付け部を備えていることを特徴とする照明器具取付け用絶縁台座。
【請求項３】
背面の当接面を建物壁に当接させた状態で、固定部に挿通したビス類を介して前記建物壁に固定される台座部と、当該台座部の前側に連結されて、前面の取着面に照明器具が取着される取着部とから成り、前記当接面と取着面とを貫通するケーブル挿通孔にケーブルを挿通して照明器具を絶縁状態で取付ける照明器具取付け用絶縁台座であって、
前記台座部の当接面と反対の面、及び前記取着部の取着面と反対の面に、軸心に対して傾斜した傾斜分割面で円筒体が二分割された各分割組付け体がそれぞれ一体に形成され、
前記各分割組付け体は、前記傾斜分割面に対して垂直な回動軸心を中心にして相対的回動が可能なように一体に連結されて、前記回動軸心を中心とする前記台座部及び取着部の相対的回動により、前記各分割組付け体の軸心の交差角を変更させることにより、台座部の当接面に対する取着部の取着面の傾斜角度を調整可能にしたことを特徴とする照明器具取付け用絶縁台座。
【請求項４】
前記取着部の取着面には、照明器具を固定するビスが螺入可能なビス螺入溝が中心部のケーブル挿通孔に対して放射状に複数本形成されていることを特徴とする請求項１ないし３のいずれかに記載の照明器具取付け用絶縁台座。
【請求項５】
前記台座部の分割組付け体の組付け面には、ケーブル挿通孔の中心を通る直線のうち各分割組付け体の分割前の円筒体周縁の軸心方向に沿って最も高い部分と低い部分を通る線分の一端部にはビス類の固定孔が形成され、その他端部の外周面には、当該台座部に対する取着部の回動角度の基準を示す表示部が設けられていることを特徴とする請求項３又は４に記載の照明器具取付け用絶縁台座。
【請求項６】
前記台座部と取着部にそれぞれ一体に形成された各分割組付け体には、当該各分割組付け体の相対的回動を防止して、当接面に対する取着面の傾斜角度を固定するための回動防止部がそれぞれ設けられていることを特徴とする請求項３ないし５のいずれかに記載の照明器具取付け用絶縁台座。
【請求項７】
前記台座部と取着部にそれぞれ一体に形成された各分割組付け体は、一方に形成された環状の係止溝と、他方に形成された係止爪との係止により、互いに回動可能に連結されていることを特徴とする請求項３ないし６のいずれかに記載の照明器具取付け用絶縁台座。
【請求項８】
請求項５に記載の照明器具取付け用絶縁台座と傾斜方向補正定規とを使用して、建物壁の壁面に照明器具を設定方向を向けて設定角度で傾斜させて取付ける方法であって、
前記傾斜方向補正定規には、前記壁面に対する取着面の傾斜角度に対応した台座部の周方向に沿った固定位置が円周上に表示され、
前記傾斜方向補正定規を使用して台座部の周方向に沿った固定位置を壁面に罫書き線を用いて表示しておき、当該罫書き線に基づいて周方向の位置を特定して壁面に台座部を固定し、壁面に固定された台座部に対して取着部を嵌着させた状態で、当該取着部の取着面が設定傾斜角度となる位置まで固定部に対して台座部を回動させた後に、固定部に対して取着部をビス固定し、最後に取着面に照明器具を取付けることを特徴とする壁面に照明器具を設定傾斜角度で取付ける方法。
【発明の詳細な説明】
【技術分野】
【０００１】
本発明は、結線部を絶縁した状態で建物壁の壁面に照明器具を取付けるに際して、前記壁面に対する照明器具の取付け角度が調整可能な照明器具取付け用絶縁台座、及び壁面に照明器具を設定傾斜角度で取付ける方法に関するものである。
【背景技術】
【０００２】
結線部を絶縁した状態で建物壁の壁面に照明器具を取着するのに使用される絶縁台座としては、例えば特許文献１に開示のものが知られているが、壁面に対する照明器具の取付け角度は一定であって、調整できない。建物壁に照明器具を取付ける場合に、特定部分の照度を高めるために、壁面に対して傾斜させて取付けたい場合がある。このような場合には、角度調節機構を備えた照明器具を選択する必要があり、照明器具のデザインや価格に選択の自由度がなく、しかも角度調整が面倒であった。
【特許文献１】特開昭５５−９３１０号公報
【発明の開示】
【発明が解決しようとする課題】
【０００３】
本発明は、角度調節機構を別途設けることなく、建物壁に照明器具を取付けるための台座の構成部材の工夫のみによって、建物壁の壁面に対する照明器具の取付け角度を選択可能にすることを課題としている。
【課題を解決するための手段】
【０００４】
上記の課題を解決するための請求項１の発明は、背面の当接面を建物壁に当接させて、前記建物壁に固定される台座部と、前面の取着面に照明器具が取着される取着部とを備え、前記当接面と取着面とを貫通するケーブル挿通孔にケーブルを挿通して照明器具を絶縁状態で取付ける照明器具取付け用絶縁台座であって、前記当接面と前記取着面とが相対的に異なる角度で傾斜した第１及び第２の各傾斜位置のいずれかを選択して、前記台座部と前記取着部とを組み付ける組付け部を備えていることを特徴としている。
【０００５】
請求項１の発明によれば、台座部と取着部とは組付け部を介して組み付けられて、建物壁に固定される台座部の背面の当接面と、照明器具を取着する取着部の前面の取着面とが相対的に異なる角度で傾斜した第１及び第２の各傾斜位置のいずれかを選択して、前記台座部と前記取着部とを組付け部を介して組み付けることにより、建物壁に対する照明器具の２つの取付け角度のいずれかを選択できる。よって、建物壁に対する照明器具の取付け角度を調整できる。
【０００６】
また、請求項２の発明は、背面の当接面を建物壁に当接させて、前記建物壁に固定される台座部と、前面の取着面に照明器具が取着される取着部とを備え、前記当接面と取着面とを貫通するケーブル挿通孔にケーブルを挿通して照明器具を絶縁状態で取付ける照明器具取付け用絶縁台座であって、前記当接面と前記取着面とが相対的に傾斜した状態と、両面が互いに平行な状態とを選択して、前記台座部と前記取着部を互いに組み付けるための組付け部を備えていることを特徴としている。
【０００７】
請求項２の発明は、請求項１の発明において、第１及び第２の各傾斜位置の一方が特定された場合である。即ち、第１及び第２の各傾斜位置の一方は、建物壁に当接する台座部の当接面と、照明器具を取着する取着部の前面の取着面とが平行になっている場合であって、照明器具が建物壁の壁面に対して平行に配置されて、照明器具の照明具が水平前方を照らす場合である。
【０００８】
また、請求項３の発明は、背面の当接面を建物壁に当接させた状態で、固定部に挿通したビス類を介して前記建物壁に固定される台座部と、当該台座部の前側に連結されて、前面の取着面に照明器具が取着される取着部とから成り、前記当接面と取着面とを貫通するケーブル挿通孔にケーブルを挿通して照明器具を絶縁状態で取付ける照明器具取付け用絶縁台座であって、前記台座部の当接面と反対の面、及び前記取着部の取着面と反対の面に、軸心に対して傾斜した傾斜分割面で円筒体が二分割された各分割組付け体がそれぞれ一体に形成され、前記各分割組付け体は、前記傾斜分割面に対して垂直な回動軸心を中心にして相対的回動が可能なように一体に連結されて、前記回動軸心を中心とする前記台座部及び取着部の相対的回動により、前記各分割組付け体の軸心の交差角を変更させることにより、台座部の当接面に対する取着部の取着面の傾斜角度を調整可能にしたことを特徴としている。
【０００９】
請求項３の発明によれば、台座部の当接面と反対の面、及び前記取着部の取着面と反対の面には、軸心に対して傾斜した傾斜分割面で円筒体が二分割された各分割組付け体がそれぞれ一体に形成されて、台座部と取着部とは、各分割組付け体により一体に組み付けられる構成となっている。各分割組付け体を傾斜分割面に対して垂直な回動軸心を中心として相対的に回動させて、各分割組付け体の回動軸心の交差角を変更させることにより、台座部の当接面に対する取着部の取着面の傾斜角度が無段階に変化されて、台座部の当接面に対する取着部の取着面の傾斜角度が自在に調整できる。よって、角度調節機構を別途設けることなく、台座を構成する台座部と取着部との工夫のみによって、建物壁に対する照明器具の取付け角度を無段階で調整できる。
【００１０】
また、請求項４の発明は、請求項１ないし３のいずれかの発明において、前記取着部の取着面には、照明器具を固定するビスが螺入可能なビス螺入溝が中心部のケーブル挿通孔に対して放射状に複数本形成されていることを特徴としている。
【００１１】
請求項４の発明によれば、台座を構成する取着部の取着面には、ビス螺入溝が中心部のケーブル挿通孔に対して放射状に複数本形成されているために、取着面の全面のほぼ任意の位置において照明器具をビス止めすることができる。よって、取着部に取着可能な照明器具の自由度が高まって、照明器具の選択の範囲が広くなる。
【００１２】
また、請求項５の発明は、請求項３又は４の発明において、前記台座部の分割組付け体の組付け面には、ケーブル挿通孔の中心を通る直線のうち各分割組付け体の分割前の円筒体周縁の軸心方向に沿って最も高い部分と低い部分を通る線分の一端部にはビス類の固定孔が形成され、その他端部の外周面には、当該台座部に対する取着部の回動角度の基準を示す表示部が設けられていることを特徴としている。
【００１３】
請求項５の発明によれば、台座部に一体に形成された分割組付け体の組付け面は楕円形状になっていて、当該楕円の長軸の両端部のうち、分割前の円筒体の軸心方向に沿って最も高い部分には、ビス類の固定孔が形成されていると共に、最も低い部分の外周面には、台座部に対する取着部の回動角度の基準を示す表示部が形成されているので、楕円形状をした前記分割組付け体の組付け面の長軸を建物壁に対して垂直な面内に配置したり、或いは垂直線に対する前記長軸の傾斜角度の検出が容易にできる。この結果、建物壁に対する照明器具の傾斜角度の如何を問わず、照明器具の照らす方向が建物壁に対して垂直な面内に配置されるように、建物壁に対して台座部を固定できる。
【００１４】
また、請求項６の発明は、請求項３ないし５のいずれかの発明において、前記台座部と取着部にそれぞれ一体に形成された各分割組付け体には、当該各分割組付け体の相対的回動を防止して、当接面に対する取着面の傾斜角度を固定するための回動防止部がそれぞれ設けられていることを特徴としている。
【００１５】
請求項６の発明によれば、建物壁に固定された台座部に対する取着部の回動位置、即ち、建物壁に対する照明器具の傾斜角度を定めて、当該回動位置において、台座部に対して取着部を固定できるため、使用中において前記取付け角度が変化しなくなる。
【００１６】
また、請求項７の発明は、請求項３ないし６のいずれかの発明において、前記台座部と取着部にそれぞれ一体に形成された各分割組付け体は、一方に形成された環状の係止溝と、他方に形成された係止爪との係止により、互いに回動可能に連結されていることを特徴としている。
【００１７】
請求項７の発明によれば、台座部と取着部にそれぞれ一体に形成された各分割組付け体が相対的に回動可能な状態で互いに連結されているために、台座部に対する取着部の相対的な回動角度を変更して行なう照明器具の取付け角度の調整を容易に行なえる。
【００１８】
また、請求項８の発明は、請求項５に記載の照明器具取付け用絶縁台座と傾斜方向補正定規とを使用して、建物壁の壁面に照明器具を設定方向を向けて設定角度で傾斜させて取付ける方法であって、前記傾斜方向補正定規には、前記壁面に対する取着面の傾斜角度に対応した台座部の周方向に沿った固定位置が円周上に表示され、前記傾斜方向補正定規を使用して台座部の周方向に沿った固定位置を壁面に罫書き線を用いて表示しておき、当該罫書き線に基づいて周方向の位置を特定して壁面に台座部を固定し、壁面に固定された台座部に対して取着部を嵌着させた状態で、当該取着部の取着面が設定傾斜角度となる位置まで固定部に対して台座部を回動させた後に、固定部に対して取着部をビス固定し、最後に取着面に照明器具を取付けることを特徴としている。
【００１９】
請求項５に記載の照明器具取付け用絶縁台座は、分割組付け体が、軸心に対して傾斜した傾斜分割面で円筒体が二分割された構成であって、台座部の当接面と反対の面、及び取着部の取着面と反対の面に前記各分割組付け体がそれぞれ一体に形成されていて、各分割組付け体を前記傾斜分割面に対して垂直な軸心を中心にして相対的に回動させることにより、当接面に対する取着面の傾斜角度を調整する構成となっている。よって、台座部の当接面を壁面に固定するに際して、当該台座部の周方向に沿った固定位置に応じて、取着部の取着面の向く方向が異なる。照明器具を壁面に対して設定角度傾斜させて取付けるとは、取着面の中央に形成されたケーブル挿通孔の軸心を含む平面を、壁面に対して同時に垂直を保持させたうえで、前記軸心を設定角度だけ傾斜させることであって、台座部を周方向に回動させた場合に特定の位置においてのみ上記状態が実現され、その他の位置においては、ケーブル挿通孔の軸心を含む平面は、壁面に対して傾斜する。
【００２０】
そこで、請求項８の発明においては、傾斜方向補正定規を使用して、取着面の中央に形成されたケーブル挿通孔の軸心を含む平面が、壁面に対して垂直となるような周方向の特定位置において台座部を壁面に固定することにより、取着部の取着面に取着された照明器具の照らす方向は、壁面に対して垂直な面内において当該壁面に対して設定角度だけ傾斜した方向となる。
【発明の効果】
【００２１】
本発明（請求項３の発明）によれば、台座部の当接面と反対の面、及び前記取着部の取着面と反対の面には、軸心に対して傾斜した傾斜分割面で円筒体が二分割された各分割組付け体がそれぞれ一体に形成されて、台座部と取着部とは、各分割組付け体により一体に組み付けられる構成となっているため、各分割組付け体をいずれか一方の傾斜分割面に対して垂直な回動軸心を中心として相対的に回動させて、各分割組付け体の回動軸心の交差角を変更させることにより、台座部の当接面に対する取着部の取着面の傾斜角度が無段階に変化されて、台座部の当接面に対する取着部の取着面の傾斜角度が自在に調整できる。よって、角度調節機構を別途設けることなく、台座を構成する台座部と取着部との工夫のみによって、建物壁に対する照明器具の取付け角度を無段階で調整できる。
【発明を実施するための最良の形態】
【００２２】
以下、最良の実施形態を挙げて本発明について更に詳細に説明する。最初に、図１ないし図８を参照して、本発明に係る絶縁台座Ｋを構成する台座体Ａと取着体Ｂについて説明する。図１（イ），（ロ）は、それぞれ回動基準位置表示部２２を上方にした状態の台座体Ａを前面側及び背面側から見た斜視図であり、図２は、図１（イ）のＵ1 −Ｕ1 線断面図であり、図３（イ），（ロ）は、それぞれ分割組付け体Ｄ2 の軸心Ｃ2 の方向に沿った高さが最も低い部分を下方にした状態の取着体Ｂを前面側及び背面側から見た斜視図であり、図４は、図３（イ）のＵ2 −Ｕ2 線断面図であり、図５は、取着体Ｂの背面図であり、図６は、台座体Ａと取着体Ｂとの対応関係を示す斜視図であり、図７は、台座体Ａに取着体Ｂが組み付けられた状態の破断斜視図であり、図８（イ），（ロ）は、それぞれ台座体Ａと取着体Ｂとの相対的回動により取着面３３ａが壁面Ｗ1 と平行な状態、及び取着面３３ａが下方に向けて最大に傾斜された状態の側面図である。台座体Ａ、及び取着体Ｂは、図８（イ）に示されるように、短円筒体を傾斜分割面１で二分割した分割組付け体Ｄ1 ，Ｄ2 を備えていて、台座体Ａの外形は、分割組付け体Ｄ1 と同一形状であるが、取着体Ｂは、分割組付け体Ｄ2 における傾斜分割面１と反対の端部に、当該分割組付け体Ｄ2 の外径よりも大きな外径を有する取着体本体３２が一体に形成された構成である。本実施例においては、短円筒体の軸心に対する傾斜分割面１の傾斜角度（θ0)は、１５°となっている。また、絶縁台座Ｋを構成する台座体Ａ、及び取着体Ｂは、いずれも当該絶縁台座Ｋを介して壁面Ｗ1 に照明器具Ｅを取付けた状態において、照明器具Ｅの電源線と台座固定のためのビス類等との絶縁を確実にするために合成樹脂で製作されている。
【００２３】
台座体Ａは、図１及び図２に示されるように、短円筒体を傾斜分割面１で二分割した一方の部分で台座体本体１１が構成されていて、分割前の短円筒体の端面は、壁面Ｗ1 に当接する当接面１２となっていると共に、台座体本体１１における当該当接面１２と反対の端面（傾斜分割面１）には、組付け板部１３が設けられていて、前記反対の端面は、中央部のケーブル挿通孔１４を除いて全面が組付け板部１３により閉塞されている。本実施例では、台座体Ａの全体が、取着体Ｂの分割組付け体Ｄ2 と一体に組み付けられる分割組付け体Ｄ1 を構成している。組付け板部１３の中央のケーブル挿通孔１４の周縁部は、前面の組付け面１３ａよりも低く形成されて、円形の嵌合溝１５となっており、当該嵌合溝１５の内周側には、環状厚肉部１６が形成され、当該環状厚肉部１６には、環状のビス螺入溝１７が前記組付け面１３ａに対して垂直に形成されている。環状厚肉部１６の組付け面１３ａの側の端部には、フランジ状となって内方に突出した環状係止部１８が一体に形成されている。また、組付け板部１３には、周方向に沿って等間隔をおいて複数個（実施例では３個）の円筒部１９が前記当接面１２に対して垂直となって形成されていて、当該円筒部１９にビス挿通孔２０が段差状となって形成されている。台座体本体１１と実質的に同一の分割組付け体Ｄ1 は、別の分割組付け体Ｄ2 に対して、組付け面１３ａに対して垂直な回動軸心を中心にして回動する。なお、台座体本体１１の両端面を形成する当接面１２と組付け面１３ａとの交差角度は（θ0)である。
【００２４】
また、組付け板部１３に形成された複数個のビス挿通孔２０の一つは、組付け面１３ａ内においてケーブル挿通孔１４の中心を通る線分群のうち台座体本体１１の軸心Ｃ1 の方向に沿って当接面１２から最も高い部分と最も低い部分とを結ぶ線分２１〔図１（イ）参照〕の高さが高い側の端部に形成されており、前記線分２１の他方の端部の外周面には、台座体Ａに対する取着体Ｂの回動の基準位置を示す回動基準位置表示部２２が当接面１２に対して垂直な方向に沿って形成されている。
【００２５】
また、取着体Ｂは、図３ないし図５に示されるように、分割組付け体Ｄ2 の傾斜分割面１（組付け面３１）の反対側に取着体本体３２が一体に形成された構成である。取着体本体３２の前面の取着面３３ａは、分割組付け体Ｄ2 の軸心Ｃ2 に対して垂直となっており、前記組付け面３１は、前記取着面３３ａに対して傾斜角度（θ0)だけ傾斜している。取着体本体３２は、取着板３３の外周縁にリング状の補強体３４が組付け面３１の側に向けて一体に形成された構成である。外筒状となっている分割組付け体Ｄ2 の内側には、前記軸心Ｃ2 と同心の内筒部３５が配置されている。当該内筒部３５と、外筒状の分割組付け体Ｄ2 と、リング状の補強体３４とは、前記内筒部３５の外周面から補強体３４の内周面に向けて放射状に配置された多数本の連結リブ３６により一体に連結されている。連結リブ３６の分割組付け体Ｄ2 の軸心Ｃ2 の方向に沿った寸法は、リング状の補強体３４の幅と同一となっていて、その厚さは、前記取着板３３に前記軸心Ｃ2 から放射状に設けられる多数本（前記連結リブ３６と同数）のビス螺入溝３７を余裕を有して形成できる寸法である。図４に示されるように、内筒部３５の組付け面３１の側の端面３５ａは、当該組付け面３１と平行であるが、当該組付け面３１を含む平面に対して僅かに突出していて、当該突出部は、台座体Ａの嵌合溝１５に嵌合される被嵌合部３８となっている。
【００２６】
また、内筒部３５の被嵌合部３８の部分には、当該被嵌合部３８が台座体Ａの嵌合溝１５に嵌合された状態で、台座体Ａの環状係止部１８に係止される一対の係止爪３９が対向して形成されている。一対の係止爪３９は、台座体Ａに取着体Ｂが組み付けられた状態で、当該台座体Ａの環状厚肉部１６の組付け面１３ａの側の端面に当接する当接板部４１の先端部（自由端部）に一体に形成されている。前記当接板部４１は、内筒部３５の被嵌合部３８の側の端部に半径方向に沿って対向して一体に形成されている。また、内筒部３５の被嵌合部３８の側の端部における一対の係止爪３９に対して形成位置の位相が９０°異なる部分には、一対の突部４２が対向して形成され、当該突部４２には、ビス挿通孔４３が前記軸心Ｃ2 に対して平行に貫通形成されている。ここで、互いに組み付けられた台座体Ａと取着体Ｂとを相対的回動させた場合において、取着体Ｂの内筒部３５に形成された一対のビス挿通孔４３と、台座体Ａに形成された環状のビス螺入溝１７とを常に合致させる必要があるため、内筒部３５の取着面３３ａと反対側の端面は、組付け面３１に対して垂直な方向Ｔから見て円形となっている。よって、内筒部３５の断面形状は、円形に近い楕円形状である。なお、内筒部３５の中空部は、ケーブル挿通孔４０となっている。
【００２７】
このため、図６、図７及び図１３に示されるように、取着体Ｂの内筒部３５の軸心Ｃ2 の方向の一端部の被嵌合部３８を、台座体Ａの組付け板部１３に形成された嵌合溝１５に嵌合させるべく押し込むと、取着体Ｂの内筒部３５の被嵌合部３８の部分に形成された一対の係止爪３９が弾性変形して、台座体Ａの環状係止部１８に係止されて、台座体Ａと取着体Ｂとが一体に連結される。この連結状態では、台座体Ａの組付け面１３ａと取着体Ｂの組付け面３１とが常に密着した状態で、台座体Ａと取着体Ｂとは、互いに連結された状態で相対的に回動可能になっている。
【００２８】
このように、台座体Ａと取着体Ｂとが相対的に回動可能に連結された状態において、図８（イ）に示されるように、台座体Ａの分割組付け体Ｄ1 の軸心Ｃ1 と、取着体Ｂの分割組付け体Ｄ2 の軸心Ｃ2 とを合致させると、台座体Ａの当接面１２と取着体Ｂの取着面３３ａとが平行となる。この状態において、台座体Ａと取着体Ｂとを相対的に１８０°回転させると、図８（ロ）に示されるように、台座体Ａの分割組付け体Ｄ1 の軸心Ｃ1 と、取着体Ｂの分割組付け体Ｄ2 の軸心Ｃ2 とは、角度（２θ0)で交差するため、取着体Ｂの取着面３３ａは、台座体Ａの当接面１２に対して角度（２θ0)だけ傾斜配置される。そして、台座体Ａと取着体Ｂとの相対的な回動角度の変化と、台座体Ａの当接面１２と取着体Ｂの取着面３３ａとの交差角度の変化とは、比例関係にあるので、台座体Ａの当接面１２と取着体Ｂの取着面３３ａとの交差角度は、最大角度を（２θ0)として、任意の角度に設定できる。即ち、壁面Ｗ1 に照明器具Ｅを傾斜させて取付ける場合において、その傾斜角度は、最大角度を（２θ0)の範囲において任意に設定できることを意味する。台座体Ａと取着体Ｂとは、各分割組付け体Ｄ1 ，Ｄ2 の傾斜分割面１の中心を通る垂直線を回動軸心Ｃ0 として相対的に回動する。なお、各分割組付け体Ｄ1 ，Ｄ2 に二分割する前の円筒体の断面が真円である場合には、前記傾斜分割面１は円に近い楕円となり、前記回動軸心Ｃ0 は、傾斜分割面１の外形である楕円の長軸と短軸との交点を通る垂直線となる。
【００２９】
このため、取着体Ｂの分割組付け体Ｄ2 とリング状の補強体３４との間に放射状に配置された多数の連結リブ３６の背面には、台座体Ａの回動基準位置表示部２２との合致により、台座体Ａの当接面１２に対する取着体Ｂの取着面３３ａの傾斜角度を表示する数値が刻印されている。即ち、台座体Ａの当接面１２と取着体Ｂの取着面３３ａとが平行な状態において、台座体Ａに対して取着体Ｂを１８０°回動させると、台座体Ａの当接面１２に対して取着体Ｂの取着面３３ａが最大角度（２θ0)だけ傾斜し、実施例の場合には、最大傾斜角度は、３０°である。また、台座体Ａの当接面１２に対して取着体Ｂの取着面３３ａが最大に傾斜する位置は、取着体Ｂの分割組付け体Ｄ2 の軸心Ｃ2 の方向に沿って長さ（高さ）が最小の位置であり、当該位置に配置された連結リブ３６の背面に（３０°）の数値が表示されている。（３０°）の数値が表示された連結リブ３６と位相が１８０°異なる位置に配置された別の連結リブ３６の背面には（０°）の数値が表示されていると共に、（３０°）及び（０°）の各数値が表示された連結リブ３６の間に配置された複数の各連結リブ３６の背面には、正逆両方向に沿って（２５°），（２０°），（１５°），（１０°），（５°）の各数値がそれぞれ表示されている。なお、台座体Ａの回動基準位置表示部２２と、取着体Ｂの（３０°）と（０°）を除く残りの数値表示は、それぞれ２つずつ存在するが、いずれの数値表示がされている部分に、台座体Ａの回動基準位置表示部２２を合致させても、台座体Ａの当接面１２に対する取着体Ｂの取着面３３ａの傾斜角度は、数値表示された角度であって同一であるが、台座体Ａの当接面１２に対する取着体Ｂの取着面３３ａの向く方向が異なり、この「当接面１２に対する取着面３３ａの向く方向」に関連した事項については、後述する。
【００３０】
そして、後述のように、壁面Ｗ1 に台座体Ａを固定した状態で、当該台座体Ａに対して取着体Ｂを一体に組み付けて、壁面Ｗ1 に対する取着体Ｂの取着面３３ａが設定傾斜角度となるように、固定された台座体Ａに対して取着体Ｂを所定角度だけ回動させ、この状態で、取着体Ｂの突部４２に形成されたビス挿通孔４３にビス２を挿通して、当該ビス２を台座体Ａのビス螺入溝１７に螺入させると、前記設定傾斜角度を確定させるように、台座体Ａに対して取着体Ｂが固定される。
【００３１】
次に、図９ないし図１２を参照して、壁面Ｗ1 に上記絶縁台座Ｋを介して照明器具Ｅを傾斜させて取付ける方法を工程順に説明する。最初に、壁面Ｗ1 に照明器具Ｅを最大傾斜角度（３０°）だけ傾斜させて取付ける場合について説明する。図９は、絶縁台座Ｋを構成する台座体Ａ及び取着体Ｂと、照明器具Ｅとがいずれも分離された状態の斜視図であり、図１０は、壁面Ｗ1 に台座体Ａの周方向に沿った固定位置を定める罫書き線Ｌ30を傾斜方向補正定規Ｓにより罫書いた状態を示す正面図であり、図１１は、罫書き線Ｌ30に基づいて壁面Ｗ1 に台座体Ａの周方向の位置を定めて固定した状態の正面図であり、図１２は、図１１のＶ−Ｖ線断面図であり、図１３は、壁面Ｗ1 に絶縁台座Ｋを介して照明器具Ｅを傾斜角度（３０°）で取付けた状態の縦断面図である。なお、図９及び図１３において、Ｘは、壁面Ｗ1 に対して平行な水平方向、Ｙは、壁面Ｗ1 に対して垂直な水平方向、Ｚは、垂直方向を示す。
【００３２】
ここで、一体に組み付けられた台座体Ａと取着体Ｂとは、円筒体を傾斜分割面１で二分割した各分割組付け体Ｄ1 ，Ｄ2 を各傾斜分割面１を合致させた形態で組み付けてあるので、両者の相対的な回動位置によって「当接面１２に対する取着面３３ａの向く方向」が常に異なる。即ち、壁面Ｗ1 に台座体Ａを固定した場合において、当該台座体Ａの軸心Ｃ1 は、壁面Ｗ1 に対する台座体Ａの周方向に沿った固定位置とは無関係に、常に壁面Ｗ1 に対して垂直となるが、壁面Ｗ1 に固定された台座体Ａに組み付けられる取着体Ｂの軸心Ｃ2 の向く方向は、壁面Ｗ1 に対する台座体Ａの周方向に沿った固定位置の変動によって変化する。例えば、図８（ロ）に示されるように、台座体Ａの回動基準位置表示部２２を最も低い位置に配置して、壁面Ｗ1 に台座体Ａを固定した場合には、台座体Ａの当接面１２（即ち、壁面Ｗ1 ）に対する取着面３３ａの傾斜角度が最大である（３０°）の場合には、取着体Ｂの軸心Ｃ2 は、壁面Ｗ1 に対して垂直な面内（図９において、Ｙ−Ｚ面内）に含まれている（平面視において、台座体Ａの軸心Ｃ1 と取着体Ｂの軸心Ｃ2 とが合致して一直線となる）が、同様の状態で壁面Ｗ1 に固定された台座体Ａの当接面１２に対して取着体Ｂの取着面３３ａを（２０°）だけ傾斜させた場合には、平面視において取着体Ｂの軸心Ｃ2 は、壁面Ｗ1 に垂直な面に対して角度（θ1)だけ傾斜し（図２１参照）、照明器具Ｅの照らす方向は、壁面Ｗ1 に対して傾斜した方向となる。本発明においては、照明器具Ｅを壁面Ｗ1 に対して傾斜させて取付けるとは、「照明器具Ｅの照らす方向」を壁面Ｗ1 に対して垂直な面内に保持されたままで、側面視において上記「照明器具Ｅの照らす方向」を、壁面Ｗ1 に垂直ではなくて、傾斜させることを意味する。
【００３３】
ここで、傾斜方向補正定規Ｓは、照明器具Ｅを壁面Ｗ1 に対して傾斜させて取付ける際に、取着体Ｂの軸心Ｃ2 が壁面Ｗ1 に垂直な面に含まれるようにするために、壁面Ｗ1 に対して台座体Ａを固定する際に、当該台座体Ａの周方向に沿った固定位置を補正して定めるための定規である。ここで、「取着体Ｂの軸心Ｃ2 が壁面Ｗ1 に垂直な面に含まれるようにする」とは、台座体Ａの当接面１２及び取着体Ｂの取着面３３ａを基準にすると、「台座体Ａの当接面１２に対するある１つの垂直面に対して取着体Ｂの取着面３３ａを垂直に保ったまま、前記当接面１２に対して前記取着面３３ａを傾斜させる」という表現となる。図１４は、台座体Ａの分割組付け体Ｄ1 の軸心Ｃ1 と取着体Ｂの分割組付け体Ｄ2 の軸心Ｃ2 とが一致して、当接面１２に対して取着面３３ａが平行となった状態〔図８（イ）参照〕における各分割組付け体Ｄ1 ，Ｄ2 の組付け状態の展開図であり、図１５は、当接面１２に対する取着面３３ａの傾斜角度が３０°の最大傾斜状態〔図８（ロ）参照〕における各分割組付け体Ｄ1 ，Ｄ2 の組付け状態の展開図であり、図１６は、当接面１２に対する取着面３３ａの傾斜角度が２０°の状態における各分割組付け体Ｄ1 ，Ｄ2 の組付け状態の展開図である。図１４ないし図１６において、横軸には、軸心Ｃ1 （Ｃ2 ）の方向に沿った高さが最も低い部分を（０°）とした場合における各分割組付け体Ｄ1 ，Ｄ2 の周方向に沿った角度が表示され、縦軸には、各分割組付け体Ｄ1 ，Ｄ2 の軸心Ｃ1 ，Ｃ2 の方向に沿った高さの和を表示してある。また、図１４ないし図１６において、各分割組付け体Ｄ1 ，Ｄ2 の軸心Ｃ1 ，Ｃ2 の方向に沿った高さが最も低い位置に（×）を付してある。
【００３４】
そして、図１５に示されるように、当接面１２に対する取着面３３ａの傾斜角度が最大の３０°の場合には、各分割組付け体Ｄ1 ，Ｄ2 の軸心Ｃ1 ，Ｃ2 の方向に沿った高さが最も低い位置の位相が一致しているため、周方向の角度位置が（０°）の部分を周方向に沿って最も低い位置に配置して壁面Ｗ1 に固定すると、取着体Ｂの軸心Ｃ2 は、壁面Ｗ1 に対して垂直な面内に含まれる。これに対して、図１６に示されるように、当接面１２に対する取着面３３ａの傾斜角度が、例えば２０°の場合には、各分割組付け体Ｄ1 ，Ｄ2 の軸心Ｃ1 ，Ｃ2 の方向に沿った高さが最も低い位置の位相は、（６０°）だけずれて、その中間に、各分割組付け体Ｄ1 ，Ｄ2 の軸心Ｃ1 ，Ｃ2 の方向に沿った高さの和が最も低い部分が存在する。このため、壁面Ｗ1 に台座体Ａを固定する際に、正面から見て台座体Ａに対して取着体Ｂを時計方向に（６０°）だけ位相がずれるように回動させた場合には、台座体Ａの回動基準位置表示部２２を正面から見て反時計方向に前記位相ずれ角度（６０°）の半分の（３０°）だけずらして固定すると、当接面１２に対して取着面３３ａが２０°だけ傾斜し、しかも取着体Ｂの軸心Ｃ2 は、壁面Ｗ1 に対して垂直な面内に含まれることになる。即ち、一般的には、正面から見て台座体Ａに対して取着体Ｂを所定方向に所定角度だけ位相をずらして回動させた場合には、台座体Ａの回動基準位置表示部２２を正面から見て上記方向と逆方向に全て所定角度の半分の角度だけ回動させて修正すると、取着体Ｂの軸心Ｃ2 は、壁面Ｗ1 に対して垂直な面内に含まれることになる。
【００３５】
傾斜方向補正定規Ｓは、取着体Ｂの軸心Ｃ2 が壁面Ｗ1 に垂直な面内に含まれるように、台座体Ａを壁面Ｗ1 に固定する際に、取着面３３ａの傾斜角度に応じて周方向に沿った固定位置を修正するために、上記原理に基づいて製作されたものであって、台座体Ａを模した円形図形５１の中心を通って直交する２本の直線で４分割された右下の部分には、絶縁台座Ｋの取着面３３ａを下方に向けて傾斜させる場合における台座体Ａの修正固定方向が、取着面３３ａの傾斜角度に対応して表示されている。具体的には、台座体Ａを模した円形図形５１と、その中心を通る垂直線とが交差する部分に傾斜角度である（３０°）が表示され、前記円形図形５１と、その中心を通る水平線とが交差する部分に傾斜角度の存在しない（０°）の表示がなされ、（３０°）と（０°）の各表示の間に、等分された５つの傾斜角度の各表示（２５°，２０°，１５°，１０°，５°）がなされている。全く同様にして、絶縁台座Ｋの取着面３３ａを上方に向けて傾斜させる場合の表示が、円形図形５１を４分割した左上の部分に表示されている。
【００３６】
このため、絶縁台座Ｋの取着面３３ａを下方に３０°の傾斜角度でもって壁面Ｗ1 に固定するには、以下の順序で行なう。まず、図１０に示されるように、傾斜方向補正定規Ｓの上下の各３０°の表示を結ぶ線分が垂直となるように、当該傾斜方向補正定規Ｓを壁面Ｗ1 の照明器具取付け予定部に仮接着等して、上下の各３０°の表示を結ぶ線分の延長線上に罫書き線Ｌ30を罫書く。次に、図１１及び図１２に示されるように、台座体Ａの回動基準位置表示部２２を下方にし、しかも当該表示部２２と、軸心Ｃ1 の方向に沿った高さが最も高い部分のビス挿通孔２０とを結ぶ線分が前記罫書き線Ｌ30と合致するようにして、壁面Ｗ1 に台座体Ａを配置して、当該台座体Ａの各ビス挿通孔２０に挿通した各ビス３を壁体Ｗに螺入させて、壁面Ｗ1 に台座体Ａを固定する。
【００３７】
次に、壁面Ｗ1 に固定された台座体Ａの回動基準位置表示部２２と、取着体Ｂの背面の３０°の表示の部分とを合致させて、台座体Ａの嵌合溝１５に取着体Ｂの被嵌合部３８を嵌合させると、取着体Ｂの一対の係止爪３９が台座体Ａの環状係止部１８に係止され、この状態で、取着体Ｂの一対のビス挿通孔４３に挿通した各ビス２を台座体Ａのビス螺入溝１７に螺入すると、取着体Ｂの取着面３３ａが壁面Ｗ1 に対して３０°だけ傾斜し、しかも取着体Ｂの軸心Ｃ2 が壁面Ｗ1 及び絶対空間の双方に対して垂直な面内に含まれた状態で、台座体Ａと取着体Ｂとが一体に連結される。最後に、取着体本体３２の前面に形成された多数本のビス螺入溝３７にビス４を螺入して、照明器具Ｅの固定部５２を取着体本体３２に固定すると、図１３に示されるように、壁面Ｗ1 に対して傾斜角度（２θ0 ＝３０°）で照明器具Ｅが下方に向けて傾斜した状態で取付けられる。なお、照明器具Ｅのコード５３は、壁体Ｗに形成された貫通孔５４を通って壁裏に導かれて、電源線（図示せず）と接続される。
【００３８】
次に、図１７ないし図２１を参照して、絶縁台座Ｋの取着面３３ａを壁面Ｗ1 に対して下方を向けて（２０°）だけ傾斜させて固定する場合について説明する。図１７は、罫書き線Ｌ20を使用して台座体Ａの回動基準位置表示部２２を最も下方の位置から反時計方向に（３０°）回動させた状態で、壁面Ｗ1 に台座体Ａを固定した状態の正面図であり、図１８は、台座体Ａの回動基準位置表示部２２と取着体Ｂの裏面の（２０°）の表示部とを合致させた状態の斜視図であり、図１９は、壁面Ｗ1 に対して取着面３３ａが（２０°）だけ傾斜し、しかも取着体Ｂの軸心Ｃ2 が壁面Ｗ1 に対して垂直面内に配置された状態で壁面Ｗ1 に絶縁台座Ｋが取付けられた状態の側面図であり、図２０は、同様の平面図であり、図２１は、壁面Ｗ1 に対する台座体Ａの周方向の固定位置の修正を行なわないために、取着体Ｂの軸心Ｃ2 が壁面Ｗ1 に垂直な面（Ｙ−Ｚ平面）に対して角度（θ1 ）だけ傾斜した状態を示す平面図である。
【００３９】
まず、図１０に示されるように、傾斜方向補正定規Ｓを使用して、傾斜角度（２０°）に対応する部分に罫書き線Ｌ20を壁面Ｗ1 に罫書いておき、台座体Ａの回動基準位置表示部２２を下方にし、しかも当該表示部２２と、軸心Ｃ1 の方向に沿った高さが最も高い部分のビス挿通孔２０とを結ぶ線分が前記罫書き線Ｌ20と合致するようにして、壁面Ｗ1 に台座体Ａを配置して、当該台座体Ａの各ビス挿通孔２０に挿通した各ビス３を壁体Ｗに螺入させて、壁面Ｗ1 に台座体Ａを固定する。なお、図１７及び図１８において、５０は、上記のようにして壁面Ｗ1 に台座体Ａを固定した状態で、最も低い部分を示す。次に、壁面Ｗ1 に固定された台座体Ａに取着体Ｂを上記のようにして組み付けて、台座体Ａの回動基準位置表示部２２と、取着体Ｂの背面の（２０°）の表示部とが合致する位置まで、台座体Ａの回動基準位置表示部２２と取着体Ｂの（３０°）の表示部とが合致した状態から、台座体Ａに対して取着体Ｂを時計方向に回動させて、当該位置で一対のビス２を介して台座体Ａに対して取着体Ｂを固定する。
【００４０】
これにより、図１９及び図２０に示されるように、取着体Ｂの軸心Ｃ2 が壁面Ｗ1 及び絶対空間の双方に対して垂直な面内に含まれた状態で、絶縁台座Ｋは、その取着面３３ａが壁面Ｗ1 に対して（２０°）だけ下方を向いて傾斜した状態で、壁面Ｗ1 に固定される。
【００４１】
また、図３（イ）に示されるように、取着体Ｂの取着板３３には、ケーブル挿通孔４０を中心に計１２本のビス螺入溝３７が放射状に形成されているため、隣接するビス螺入溝３７の中心角は（３０°）となる。本実施例では、この関係を利用して、分割組付け体Ｄ2 の軸心Ｃ2 の方向に沿って最も高さの低い部分に形成されたビス螺入溝３７に近接して（３０°）の表示がなされ、当該（３０°）の表示がなされたビス螺入溝３７から反時計方向に沿った３本のビス螺入溝３７には、それぞれ（２０°），（１０°），（０°）の各表示がなされている。よって、壁面Ｗ1 に対する取着面３３ａの傾斜角度は、正面視において上下方向に配置されたビス螺入溝３７に表示した角度と等しくなるため、当該ビス螺入溝３７に表示された角度によって、絶縁台座Ｋの取着面３３ａの傾斜角度を読み取ることができる。
【００４２】
また、３０°，２０°以外の取着体Ｂの背面に数値表示した角度でもって、絶縁台座Ｋを壁面Ｗ1 に固定する作業は、上記と同様である。このようにして、絶縁台座Ｋの壁面Ｗ1 に対する取着面３３ａの傾斜角度は、上限を（３０°）として無段階に調整することができる。
【００４３】
また、上記実施例では、取着体Ｂの軸心Ｃ2 が壁面Ｗ1 及び絶対空間の双方に対して垂直な面内に含まれた状態において、取着体Ｂの軸心Ｃ2 の傾斜角度を変更させて、照明器具Ｅを下方又は上方に向けて所定角度だけ傾斜して取付ける例である。しかし、取着体Ｂの軸心Ｃ2 が壁面Ｗ1 及び絶対空間の双方に対して垂直な面内に含まれる状態に限定されず、一般的に壁面Ｗ1 に対して垂直な面（この面は無限に存在する）内に取着体Ｂの軸心Ｃ2 が含まれる状態にして、当該面内において取着体Ｂの軸心Ｃ2 を壁面Ｗ1 に対して傾斜させて、照明器具を傾斜状態で取付けることも可能である。例えば、取着体Ｂの軸心Ｃ2 が水平面内に含まれる状態にして、当該軸心Ｃ2 を水平面内において壁面Ｗ1 に対して傾斜させると、照明器具の照らす方向を水平面内において傾斜させることが可能となる。
【００４４】
また、絶縁台座の最大傾斜角度は、分割前の円筒体の軸心に対する各分割組付け体Ｄ1 ，Ｄ2 の傾斜分割面１の傾斜角度（θ0 ）の２倍となるので、使用目的に応じて前記傾斜角度（θ0 ）の選択により大小自由に調整できる。
【００４５】
また、本発明に係る絶縁台座の用途としては、上記実施例のように、垂直な壁面Ｗ1 に対して照明器具Ｅを傾斜させて取付ける場合のみならず、傾斜天井面に対して垂直下方（直下）を照らすように照明器具を取付ける場合にも利用可能である。この場合には、傾斜天井面に対して絶縁台座の取付面を傾斜させることにより、水平にさせればよい。
【００４６】
また、上記実施例は、壁面に照明器具を傾斜させて取付ける場合において、各分割組付け体Ｄ1 ，Ｄ2 の傾斜分割面１の傾斜角度（θ0 ）の２倍を最大傾斜角度として、傾斜角度を無段階に調節できる利点があるが、図２２及び図２３に示される絶縁台座Ｋ’のように、台座体Ａ’と取着体Ｂ’とを特定の傾斜角度においてのみ組付け可能な構成にすることも可能である。図２２は、台座体Ａ’と取着体Ｂ’との対応関係を示す斜視図であり、図２３は、台座体Ａ’と取着体Ｂ’の組付け状態の一部を破断した断面図である。台座体Ａ’の組付け板部１３には、回動軸心Ｃ0 を中心とする同心円上に計４個の位置決め孔６１が周方向に沿って等間隔をおいて形成されている。位置決め孔６１の一つは、台座体Ａの軸心Ｃ1 に沿って最も高い位置に形成されたビス挿通孔２０と周方向に沿って同一位置に形成されている。組付け板部１３における位置決め孔６１が形成されている部分の背面側には、突部６２が形成されて、当該突部６２には、前記位置決め孔６１の底面に貫通するビス下孔６３が形成されている。なお、組付け板部１３の中央部には、ケーブル挿通孔６４が形成されている。
【００４７】
一方、取着体Ｂ’の取着面３３ａと反対側の端面は、中央部のケーブル挿通孔６５を除いて全体が組付け板部６６で覆われていて、当該組付け板部６６の前記各位置決め孔６１に対応する位置には、それぞれ位置決め突起６７が形成されている。
【００４８】
そして、取着体Ｂ’の各位置決め突起６７を台座体Ａ’の各位置決め孔６１に嵌合させる場合において、嵌合位置の組み合わせを変更することにより、上方及び下方を向けて照明器具を傾斜させ取付ける場合において、それぞれ二つの異なる傾斜位置において照明器具を取付けることができる。なお、台座体Ａ’と取着体Ｂ’との連結は、取着体Ｂ’の位置決め突起６７に形成されたビス挿通孔６８にビス５を挿通して、台座体Ａ’の位置決め孔６１の底面に貫通形成されたビス下孔６３に螺入させて行なう。
【図面の簡単な説明】
【００４９】
【図１】（イ），（ロ）は、それぞれ回動基準位置表示部２２を上方にした状態の台座体Ａを前面側及び背面側から見た斜視図である。
【図２】図１（イ）のＵ1 −Ｕ1 線断面図である。
【図３】（イ），（ロ）は、それぞれ分割組付け体Ｄ2 の軸心Ｃ2 の方向に沿った高さが最も低い部分を下方にした状態の取着体Ｂを前面側及び背面側から見た斜視図である。
【図４】図３（イ）のＵ2 −Ｕ2 線断面図である。
【図５】取着体Ｂの背面図である。
【図６】台座体Ａと取着体Ｂとの対応関係を示す斜視図である。
【図７】台座体Ａに取着体Ｂが組み付けられた状態の破断斜視図である。
【図８】（イ），（ロ）は、それぞれ台座体Ａと取着体Ｂとの相対的回動により取着面３３ａが壁面Ｗ1 と平行な状態、及び取着面３３ａが下方に向けて最大に傾斜された状態の側面図である。
【図９】絶縁台座Ｋを構成する台座体Ａ及び取着体Ｂと、照明器具Ｅとがいずれも分離された状態の斜視図である。
【図１０】壁面Ｗ1 に台座体Ａの周方向に沿った固定位置を定める罫書き線Ｌ30を傾斜方向補正定規Ｓにより罫書いた状態を示す正面図である。
【図１１】罫書き線Ｌ30に基づいて壁面Ｗ1 に台座体Ａの周方向の位置を定めて固定した状態の正面図である。
【図１２】図１１のＶ−Ｖ線断面図である。
【図１３】壁面Ｗ1 に絶縁台座Ｋを介して照明器具Ｅを傾斜角度（３０°）で取付けた状態の縦断面図である。
【図１４】台座体Ａの分割組付け体Ｄ1 の軸心Ｃ1 と取着体Ｂの分割組付け体Ｄ2 の軸心Ｃ2 とが一致して、当接面１２に対して取着面３３ａが平行となった状態における各分割組付け体Ｄ1 ，Ｄ2 の組付け状態の展開図である。
【図１５】当接面１２に対する取着面３３ａの傾斜角度が３０°の最大傾斜状態における各分割組付け体Ｄ1 ，Ｄ2 の組付け状態の展開図である。
【図１６】当接面１２に対する取着面３３ａの傾斜角度が２０°の状態における各分割組付け体Ｄ1 ，Ｄ2 の組付け状態の展開図である。
【図１７】罫書き線Ｌ20を使用して台座体Ａの回動基準位置表示部２２を最も下方の位置から反時計方向に（３０°）回動させた状態で、壁面Ｗ1 に台座体Ａを固定した状態の正面図である。
【図１８】台座体Ａの回動基準位置表示部２２と取着体Ｂの裏面の（２０°）の表示部とを合致させた状態の斜視図である。
【図１９】壁面Ｗ1 に対して取着面３３ａが（２０°）だけ傾斜し、しかも取着体Ｂの軸心Ｃ2 が壁面Ｗ1 に対して垂直面内に配置された状態で壁面Ｗ1 に絶縁台座Ｋが取付けられた状態の側面図である。
【図２０】同様の平面図である。
【図２１】壁面Ｗ1 に対する台座体Ａの周方向の固定位置の修正を行なわないために、取着体Ｂの軸心Ｃ2 が壁面Ｗ1 に垂直な面に対して角度（θ1 ）だけ傾斜した状態を示す平面図である。
【図２２】台座体Ａ’と取着体Ｂ’との対応関係を示す斜視図である。
【図２３】台座体Ａ’と取着体Ｂ’の組付け状態の一部を破断した断面図である。
【符号の説明】
【００５０】
Ａ，Ａ’：台座体（台座部）
Ｂ，Ｂ’：取着体（取着部）
Ｃ0 ：回動軸心
Ｃ1 ：台座体の軸心
Ｃ2 ：取着体の軸心
Ｄ1 ，Ｄ2 ：分割組付け体（組付け部）
Ｅ：照明器具
Ｌ20，Ｌ30：罫書き線
Ｋ，Ｋ’：絶縁台座
Ｗ：壁体（建物壁）                                                    Ｗ1 ：壁面
１：傾斜分割面
２，３，４：ビス
１２：台座体の当接面
１３ａ：台座体の組付け面
１４，４０：ケーブル挿通孔
１７：ビス螺入溝
１８：環状係止部
２０：ビス挿通孔（固定孔）
２２：回動基準位置表示部（表示部）
３１：取着体の組付け面
３３ａ：取着面
３７：ビス螺入溝
３９：係止爪
４３：ビス挿通孔
５３：コード（ケーブル）
６１：位置決め孔
６７：位置決め突起
【図１】
2008027590.tif 000003
【図２】
2008027590.tif 000004
【図３】
2008027590.tif 000005
【図４】
2008027590.tif 000006
【図５】
2008027590.tif 000007
【図６】
2008027590.tif 000008
【図７】
2008027590.tif 000009
【図８】
2008027590.tif 000010
【図９】
2008027590.tif 000011
【図１０】
2008027590.tif 000012
【図１１】
2008027590.tif 000013
【図１２】
2008027590.tif 000014
【図１３】
2008027590.tif 000015
【図１４】
2008027590.tif 000016
【図１５】
2008027590.tif 000017
【図１６】
2008027590.tif 000018
【図１７】
2008027590.tif 000019
【図１８】
2008027590.tif 000020
【図１９】
2008027590.tif 000021
【図２０】
2008027590.tif 000022
【図２１】
2008027590.tif 000023
【図２２】
2008027590.tif 000024
【図２３】
2008027590.tif 000025